(57)【要約】【課題】取付け部分の設計の自由度を向上することができるスイッチ構造を提供する。【解決手段】互いに離間対向すると共に可撓性を有する第一、第二基板（一対のフイルム基板）２１、２２と、この第一、第二基板２１、２２のそれぞれに互いに対向する位置に設けられた一対の電極部２４、２５と、第一、第二基板２１、２２に沿ってスライド可能に配置されてこの第一、第二基板２１、２２を押圧し、前記一対の電極部を接触させるスライド押圧部２３とを備えている。【選択図】図２
2007128673.tif 000002
【特許請求の範囲】
【請求項１】
互いに離間対向すると共に可撓性を有する一対のフイルム基板と、該一対のフイルム基板のそれぞれに互いに対向する位置に設けられた一対の電極部と、前記フイルム基板に沿ってスライド可能に配置されてこのフイルム基板を押圧し、前記一対の電極部を接触させるスライド押圧部とを備えていることを特徴とするスイッチ構造。
【請求項２】
前記スライド押圧部は、操作部と、該操作部の先端に回動可能に保持された押圧部とを備え、前記押圧部が前記フイルム基板を押圧しながら回動することを特徴とする請求項１に記載のスイッチ構造。
【請求項３】
請求項１又は２に記載のスイッチ構造を備えた電気掃除機。
【発明の詳細な説明】
【技術分野】
【０００１】
この発明は、スライド操作されるスイッチ構造及びこれを備えた電気掃除機に関するものである。
【背景技術】
【０００２】
従来から、離間対向した一対の電極が設けられた接点シートを、スライド自在に配置されたスライド操作子で押圧するスライドスイッチが知られている（例えば特許文献１参照）。
【０００３】
このスライドスイッチでは、補強板上に接点シートを配置し、この接点シート上をスライド自在なスライド操作子で摺接しながら押圧することで離間対向した一対の電極を接触させている。
【特許文献１】特開平６−３０９９９１号公報
【発明の開示】
【発明が解決しようとする課題】
【０００４】
ところで、上述のスライドスイッチでは、接点シートが平らな補強板上に固定されており、平坦なものとなっている。
【０００５】
そのため、このスライドスイッチを取り付ける部分が湾曲している場合、この湾曲した取付け部分に沿ってスライドスイッチを設けることが困難であり、取付け部分の設計の自由度を阻害するおそれが生じていた。
【０００６】
そこで、この発明は、取付け部分の設計の自由度を向上することができるスイッチ構造を提供することを課題としている。
【課題を解決するための手段】
【０００７】
上記課題を解決するために、この発明のスイッチ構造は、互いに離間対向すると共に可撓性を有する一対のフイルム基板と、該一対のフイルム基板のそれぞれに互いに対向する位置に設けられた一対の電極部と、前記フイルム基板に沿ってスライド可能に配置されてこのフイルム基板を押圧し、前記一対の電極部を接触させるスライド押圧部とを備えていることを特徴としている。
【発明の効果】
【０００８】
本発明のスイッチ構造によれば、可撓性を有するフイルム基板を取付け部分の形状に沿って変形させることが可能となり、取付け部分のデザインが制限されず、設計の自由度を向上させることが可能となる。
【発明を実施するための最良の形態】
【０００９】
以下、図面に基づいて、この発明を実施するための最良の実施の形態のスイッチ構造及びこれを備えた電気掃除機を説明する。
【００１０】
図１に示す電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１４と、この集塵ホース１４の他端に設けた手元操作管１５に着脱自在に接続された延長管１６と、この延長管１６の先端部に着脱自在に接続された吸込口体１７とを備えている。
【００１１】
また、集塵室１２には、集塵袋１２ａが着脱可能に装着されている。なお、集塵袋１２ａは例えば紙パックフィルタまたは布製のパックフィルタである。
【００１２】
掃除機本体１１の前部には、蓋ケース１１ｂが後部側を回動中心にして開閉可能に装着されており、この蓋ケース１１ｂによって集塵室１２の上部開口（図示せず）が覆われている。
【００１３】
また、掃除機本体１１の後部には、スライドスイッチ２０が設けられた案内スリット室１８（図２及び図３参照）が形成されている。
【００１４】
この案内スリット室１８は、スライドスイッチ２０の後述するスライド押圧部２３を案内する案内スリット１８ａが上面に形成されると共に、図示しない連通路を介して電動送風機１３が配置された送風機室１３ａと連通している。
【００１５】
また、この案内スリット室１８の案内スリット１８ａ及び底面１８ｂは、図２に示すように、掃除機本体１１の表面形状に沿って湾曲している。
【００１６】
スライドスイッチ２０は、図４に示すように、互いに離間対向した一対のフイルム基板である第一、第二基板２１、２２と、この第一、第二基板２１、２２に沿ってスライド可能なスライド押圧部２３とを備えている。
【００１７】
第一、第二基板２１、２２は、それぞれポリエステル等の可撓性を有するフイルムによって形成されており、案内スリット室１８の底面１８ｂに沿って湾曲可能となっている。
【００１８】
また、この第一、第二基板２１、２２は、平面視矩形状に形成され（図５参照）、それぞれ案内スリット１８ａに沿って長く延びている。
【００１９】
第一基板２１は、案内スリット室１８の底面１８ｂに固定され、周縁部の三辺に凸部２１ａが形成されている。なお、この凸部２１ａは、短手方向の一辺が短手方向の他辺よりも幅広になっている。
【００２０】
そして、この凸部２１ａに囲まれて一段低くなった基面２１ｂには、複数の電極部２４が設けられている。
【００２１】
各電極部２４は、導電性を有する金属薄板によって形成され、平面視櫛形形状を呈するパターン部２４ａと、パターン部２４ａから連続して延びる配線部２４ｂとを有している（図５参照）。
【００２２】
なお、これらの複数の電極部２４は、第一基板２１の長手方向に沿って並んでおり、各パターン部２４ａは、第一基板２１の短手方向に沿って延在されている。
【００２３】
第二基板２２は、第一基板２１の凸部２１ａが設けられていない周縁部に対向する位置に長手方向に延びる直線状の凸部２２ａ（図５参照）が設けられている。
【００２４】
そして、この第二基板２２の凸部２２ａよりも一段低くなった基面２２ｂには、複数の電極部２５が設けられている。
【００２５】
各電極部２５は、導電性を有する金属薄板によって形成され、平面視櫛形形状を呈するパターン部２５ａと、パターン部２５ａから連続して延びる配線部２５ｂとを有している（図５参照）。
【００２６】
また、これらの複数の電極部２５は、第二基板２２の長手方向に沿って並ぶと共に、第一基板２１に設けられた複数の電極部２４にそれぞれ対向して位置している。さらに、パターン部２５ａは、第一基板２１の電極部２４のパターン部２４ａと直交する方向に延在されている。なお、配線部２５ｂは、電気的に接続されて一つにされている。
【００２７】
さらに、第一、第二基板２１、２２は、第一基板２１の凸部２１ａ上に設けられた接着剤等と、第二基板２２の凸部２２ａ上に設けられた接着剤等とを介して互いに接着固定されている。
【００２８】
なお、このとき、第一、第二基板２１、２２から一体に突出成形された凸部２１ａ及び凸部２２ａによって基面２１ｂ、２２ｂが囲まれているため、電極部２４、２５が塵埃や水分等に接触しないようになっている。
【００２９】
また、第一、第二基板２１、２２が接着固定されると、この第一、第二基板２１、２２のそれぞれの基面２１ｂ、２２ｂ同士が対向すると共に、複数の電極部２４、２５同士が対向する。
【００３０】
そして、第一、第二基板２１、２２は、案内スリット室１８に設けられた図示しない連通路を介して電動送風機１３と電気的に接続されている。
【００３１】
ここで、図５に示すように、第一基板２１の複数の電極部２４は、それぞれ抵抗Ｔに電気的に接続されている。なお、各電極部２４は、直列に接続された複数の抵抗Ｔに順次接続されており、それぞれの電極部２４ごとに接続される抵抗Ｔの合計値が変化し、異なる合計抵抗値となるように設定されている。
【００３２】
一方、第二基板２２の複数の電極部２５は、商用電源Ｋに接続されたコンデンサＣとダイアックＤｉａｃとの間に電気的に接続されている。
【００３３】
商用電源Ｋは、トライアックＴｒｉａｃを介して電動送風機１３と電気的に接続されており、ダイアックＤｉａｃはトライアックＴｒｉａｃに接続されている。また、抵抗Ｔは、電動送風機１３と商用電源Ｋとの間に接続されている。
【００３４】
スライド押圧部２３は、図４に示すように、案内スリット１８ａに沿って操作されるツマミ部２３ａ（操作部）と、このツマミ部２３ａの下端部（先端）に回動可能に保持されたローラ部（押圧部）２３ｂとを備えている。
【００３５】
ツマミ部２３ａは、案内スリット室１８から突出した頭部２３ａＡと、この頭部２３ａＡの下部に形成されたくびれ部２３ａＢと、このくびれ部２３ａＢの下端から延在された一対の保持部２３ａＣとを有している。
【００３６】
そして、このツマミ部２３ａは、頭部２３ａＡが案内スリット１８ａから突出し、くびれ部２３ａＢが案内スリット１８ａにはまり込んだ状態でスライド移動可能となっている（図３参照）。
【００３７】
また、ローラ部２３ｂは、保持部２３ａＣに保持される軸部２３ｂＡと、第二基板２２に接触する接触ローラ２３ｂＢとを有している。
【００３８】
この接触ローラ２３ｂＢは、ツマミ部２３ａの移動に伴って第二基板２２を押圧しながら軸部２３ｂＡを中心に回動するようになっている。これにより、スライド押圧部２３は、第二基板２２との間に生じる摩擦抵抗を抑えながら円滑に移動することができる。
【００３９】
そして、図６に示すように、第二基板２２は、スライド押圧部２３が移動することにより押圧されて下方に撓み、第一基板２１の電極部２４と第二基板２２の電極部２５とが接触する。
【００４０】
次に、上記のように構成される電気掃除機１０の動作について説明する。
【００４１】
まず、図示しないコンセントを商用電源Ｋに接続する。このとき、スライドスイッチ２０のスライド押圧部２３は、図２に示すように、第一基板２１の幅広に形成された短手方向の凸部２１ａ上に位置しており、いずれの電極部２４、２５も接触していない状態となっている。
【００４２】
つまり、電動送風機１３と商用電源Ｋとは、電気的に接続しておらず、電動送風機１３はＯＦＦされている。
【００４３】
そして、スライド押圧部２３のツマミ部２３ａを操作し、案内スリット１８ａに沿って移動させると、ツマミ部２３ａの移動に伴ってローラ部２３ｂが回転しながら移動する。このとき、接触ローラ２３ｂＢが、第二基板２２を押圧しながら移動し、図６に示すように第二基板２２を第一基板２１に向かって撓ませる。
【００４４】
これにより、第二基板２２に設けられた電極部２５が第一基板２１に設けられた電極部２４に接触し、電動送風機１３と商用電源Ｋとが電気的に接続することとなる。
【００４５】
ここで、第一基板２１に設けられた複数の電極部２４は、それぞれ複数の抵抗Ｔに順次接続されているので、ローラ部２３ｂで押圧される位置によって抵抗Ｔの合計値が変化し、合計抵抗値を変更することができる。
【００４６】
すなわち、スライド押圧部２３のスライド移動によって抵抗Ｔの合計抵抗値が変化し、電動送風機１３の出力を変更することができる。
【００４７】
また、この第一、第二基板２１、２２は、それぞれ可撓性を有しており、掃除機本体１１の表面形状に沿って湾曲した案内スリット室１８の底面１８ｂに合わせて、自在に変形させることができると共に、互いの間隔をほぼ均一に保持することができる。
【００４８】
これにより、このスライドスイッチ２０を取り付ける部分のデザインが制限されず、設計の自由度を向上させることが可能となる。
【００４９】
また、スライド押圧部２３は、ツマミ部２３ａと、ツマミ部２３ａの先端に回動可能に保持されたローラ部２３ｂとを備え、ローラ部２３ｂが第二基板２２を押圧しながら回動するようになっている。
【００５０】
そのため、ローラ部２３ｂと第二基板２２との接触抵抗を低減することができ、ローラ部２３ｂの摩擦抵抗を低減させることができる。
【００５１】
また、上述の実施の形態の電気掃除機１０では、電極部２４、２５がそれぞれ櫛型形状を呈するパターン部２４ａ、２５ａを有しているので、基面２１ｂ、２２ｂが撓みにあわせて容易に変形することができ、第一、第二基板２１、２２の変形を阻害することがない。
【００５２】
さらに、このパターン部２４ａ、２５ａが互いに直交する方向に延在されているので、スライド押圧部２３によって押圧された際に、確実に接触することができ、操作不良を生じることがない。
【００５３】
以上、この発明にかかる実施の形態を図面により詳述してきたが、具体的な構成は上述の実施の形態に限らない。この発明の要旨を逸脱しない範囲の設計の変更等はこの発明に含まれる。
【００５４】
例えば、図７に示すように、スライドスイッチ３０を手元操作管１５に設けてもよい。この場合であっても、スライドスイッチ３０を手元操作管１５の表面形状に沿って自在に変形させて設けることができ、設計の自由度を阻害することがない。
【図面の簡単な説明】
【００５５】
【図１】この発明に係る電気掃除機の外観を示した斜視図である。
【図２】この発明に係るスライドスイッチを示す横断面図である。
【図３】図２におけるＡ−Ａ断面図である。
【図４】この発明に係るスライドスイッチを模式的に示す分解斜視図である。
【図５】この発明に係る電気掃除機の電動送風機を制御するブロック回路図である。
【図６】この発明に係るスライドスイッチの作用を示す要部を拡大した横断面図である。
【図７】この発明の他の実施例の電気掃除機の要部を示す斜視図である。
【符号の説明】
【００５６】
２０                スライドスイッチ
２１                第一基板（フイルム基板）
２２                第二基板（フイルム基板）
２３                スライド押圧部
２４                電極部
２５                電極部
【図１】
2007128673.tif 000003
【図２】
2007128673.tif 000004
【図３】
2007128673.tif 000005
【図４】
2007128673.tif 000006
【図５】
2007128673.tif 000007
【図６】
2007128673.tif 000008
【図７】
2007128673.tif 000009